(57)【要約】【課題】捩れ耐性が高い自立装置が設けられ、コレクタ装置に繋がる処でコレクタ管に、熱膨張、輸送、取付又は組立から結果として生ずる外力が掛からないようにして改良されたコレクタモジュールを提供する【解決手段】二つの室及びコレクタ装置の長手方向に垂直に少なくとも一つのニップルが配置されたコレクタ装置、特にコレクタマニホールドと、アブソーバー管、即ち前記コレクタ装置の少なくとも一つのニップルに嵌合するアブソーバー管と、該アブソーバー管の周りに配置された管状ジャケットとが備わる少なくとも一つのコレクタ管と、前記ニップルに配置され、その一端で前記アブソーバー管に、他の一端でコレクタ装置に固定された少なくとも一つの同軸管と、少なくとも一つの前記コレクタ管の各々のための各コネクタであって、少なくとも一つの前記コレクタ管の管状ジャケットが受容され、接着されるカップ状受容部と、前記コレクタ装置を取り囲むＵ字状連結部とを有してコレクタ装置を取り囲む各コネクタと、前記各コネクタのＵ字状連結部に配置されたシール装置とを含むコレクタモジュール。【選択図】      図３
2004271108.tif 000002
【特許請求の範囲】
【請求項１】
二つの室及びコレクタ装置の長手方向に垂直に少なくとも一つのニップルが配置されたコレクタ装置、
前記コレクタ装置の少なくとも一つのニップルに嵌合するアブソーバー管と、該アブソーバー管の周りに配置された管状ジャケットを備えた少なくとも一つのコレクタ管、
前記ニップルに配置され、その一端で前記アブソーバー管に、他の一端でコレクタ装置に固定された少なくとも一つの同軸管、
前記少なくとも一つのコレクタ管の各々のための各コネクタであって、前記少なくとも一つのコレクタ管の管状ジャケットが受容され、接着されるカップ状受容部と、前記コレクタ装置を取り囲むＵ字状連結部とを有してコレクタ装置を取り囲む各コネクタ、
前記各コネクタのＵ字状連結部に配置されたシール装置、
を含むコレクタモジュール。
【請求項２】
前記コレクタ装置がコレクタマニホールドであり、前記シール装置がコレクタ装置の長手方向に移動自在なスライダ部である請求項１に記載のコレクタモジュール。
【請求項３】
前記Ｕ字状連結部には、二つのアームと、これ等のアームの自由端にある夫々のロック具とが備わり、前記滑り部には、前記連結部のこれ等の複数のロック具と協働する複数の対応ロック具がある請求項２に記載のコレクタモジュール。
【請求項４】
前記Ｕ字状連結部の二つのアーム上の夫々の複数のロック具と前記スライダ部の複数の対応ロック具が夫々溝とタングを備える請求項３に記載のコレクタモジュール。
【請求項５】
前記タングと溝が前記コレクタ装置の長手方向に延びる請求項４に記載のコレクタモジュール。
【請求項６】
前記シール装置が前記Ｕ字状連結部に枢動自在に取り付けられた枢動部である請求項１に記載のコレクタモジュール。
【請求項７】
前記コレクタ装置の長手方向の前記Ｕ字状連結部の幅が前記カップ状受容部の外径より小さい請求項１に記載のコレクタモジュール。
【請求項８】
コレクタ管は少なくとも二つから成り、これ等少なくとも二つのコレクタ管の各カップ状受容部には、コレクタ装置方向に互いに離間して対向する側壁と、これ等の側壁外側に配置され、隣接するカップ状受容部に配置された対応ロック具材と協働する夫々のロック具材とが備わる請求項１に記載のコレクタモジュール。
【請求項９】
前記コネクタには、前記カップ状受容部と前記Ｕ字状連結部との間の中間部に配置された屋根取り付け装置が備わる請求項１に記載のコレクタモジュール。
【請求項１０】
前記屋根取り付け装置には、前記コネクタの長手方向軸と垂直に延びる貫通孔が設けられた少なくとも一つのリング部がある請求項９に記載のコレクタモジュール。
【請求項１１】
前記少なくとも一つのコレクタ管の各々の閉端にフートキャップが接着されている請求項１に記載のコレクタモジュール。
【請求項１２】
前記フートキャップに排出開口が備わる請求項１１に記載のコレクタモジュール。
【請求項１３】
前記フートキャップには、その対向する外側に側壁と、これ等の側壁に配置されたロック部材が備わり、これ等のロック部材が隣り合うフートキャップに設けられた対応ロック部材と協働する手段を含んで成る請求項１１に記載のコレクタモジュール。
【請求項１４】
前記フートキャップに設けられたロック部材がタングと溝を含んで成る請求項１３に記載のコレクタモジュール。
【請求項１５】
前記フートキャップに、少なくとも一つの保持部を有するベースが備わる請求項１３に記載のコレクタモジュール。
【発明の詳細な説明】
【０００１】
【産業上の利用分野】
本発明は、二つの室及びコレクタ装置に垂直に少なくとも一つのニップルが設けられたコレクタ装置、特にコレクタマニホールドと、ニップルに嵌合するアブソーバー管と管状ジャケットを有する少なくとも一つのコレクタ管と、ニップルに設けられ、一端でアブソーバー管に、他端でコレクタ装置に固定された同軸管と、コレクタ装置を囲繞し、管状ジャケットの開口端を受容するコネクタとが備わるコレクタモジュールに関する。
【０００２】
【従来の技術】
この種のコレクタモジュールはドイツ国実用新案公報Ｇ２０１０１１３９から知られている。アブソーバー管を備えたコレクタ管はニップルに挿入されている。また、コネクタは、それにコレクタ管を挿入出来るように構成される。このようにして、構成部品全てがプラグ連結で相互に連結されている。このため、一部が熱膨張のため、有る程度動いてしまうことが有る。種々の具体例、就中、コレクタへの力ロック又は形状ロック受容に関わる具体例が述べられている。
コレクタ管は、ハウジングを意味するコネクタ中に固定されるけれども、コレクタ管の回動又は捩れは完全に防ぐことはできない。このハウジングは、コレクタ管を受容し、そしてそれと一緒になって剛性のフレームを形成する。このような構造は本質的な欠点を内在している。避けることのできない、Ｏリング経由のニップルの押圧力及び熱伝達媒体の水圧とが好ましくないことにコレクタ管に作用する。又、ハウジングがコレクタ管上のニップルを垂直の押圧するから、コレクタの熱膨張に基づいて剛性ハウジングに対して外力が作用する。これらの形式の力は運搬や取り付けの際にも生じうる。更にコレクタ管内に挿入されたニップルは存在する自由度に基づいて傾いたりすることがある。これらの力は、常にニップルとコレクタ管の間の敏感の接続に作用するので、コレクタ管の破壊の危険を増大させる。もしそれに対応するために自由度を用意すると、モジュールのための自己支持によるフレームレス構造の強度もしくは剛性はもはや保証されない。
【０００３】
【発明が解決しようとする課題】
本発明の目的は、上記種のコレクタモジュールであって、捩れ剛性が高い自立装置が設けられ、コレクタ装置に繋がる処でコレクタ管に、熱膨張、輸送、取付又は組立から結果として生ずる外力が掛からないようにした改良コレクタモジュールを提供することにある。
【０００４】
【課題を解決するための手段】
この目的及び他の目的は以下、より明瞭になるであろうが、二つの室及びコレクタ装置に垂直に少なくとも一つのニップルが配置されコレクタ装置、特にコレクタマニホールドと、上記ニップルに嵌合するアブソーバー管と管状ジャケットとが備わる少なくとも一つのコレクタ管と、上記ニップルに配置され、その一端で上記アブソーバー管に、他の一端でコレクタ装置に固定された少なくとも一つの同軸管と、上記コレクタ装置を囲繞し、上記アブソーバー管の開口端を受容するコネクタを含むコレクタモジュールにおいて達成される。
本発明によれば、各コレクタ管に対して、上記管状ジャケットが受容、接着されるカップ状受容部と、前記コレクタ装置を包囲するＵ字状連結部とを有する各コネクタが設けられる。更に、シール装置が上記各コネクタに配置される。
各コレクタ管に各コネクタが設けられるので、例えばコレクタ装置の熱膨張により外力が生じても、コレクタ管に伝達されることはない。どんな場合でも、コレクタ装置の長さが変わると、コレクタ管同士の間隔が変わるか、あるいはコネクタ自身がコレクタ装置に沿ってその位置を変える。
コレクタ装置、特にコレクタマニホールドがコネクタとシール装置との間で締結又は滑動自在に保持されるようにシール装置がコネクタ上に構成、配置されるから、どのような場合にもコレクタ装置には捩れに強い接続が形成される。そのような締結した又は滑動自在の取り付けは、コレクタ装置の外径に関する連結具とシール装置の内部寸法手段によって調整される。
シール装置は、他の実施例においては、個々の管を交換できるように開閉自在に作られる。
【０００５】
コレクタ管をカップ状受容部に接着することにより、コレクタ管が水圧でニップルから押し離されることはない。また、コレクタ管がニップルの中心軸の周りに回ることもなくなる。更に、ニップル上にＯリングを一つ又は二つ設けて行うアブソーバー管のシールに外力が掛からないので、その操作安全性と耐用寿命が増大する。ニップル軸に平行に掛からないどんな力も、例えば積雪負荷や不適切な取り付けによるもの等も含んで、外力と考えられる。
コレクタ管をそのコネクタのカップ状受容部に、コレクタ管とそれを囲む壁との間の全環状間隙がその全周に亘って充満されるように接着すると良い。硬化時に低収縮性の接着剤を用い、破れや弛みが生じないようにすると良い。この目的のために、シリコーンをベースとする一又は二成分接着剤が考えられる。
コレクタ管を接着剤でカップ状受容部に接着するにも拘らず、この接着剤がニップルでのＯリングと相俟って可撓性が十分な接続を得させ、組立及び動作中の破壊の危険を低下させる。
カップ状受容部にコレクタ管を接着して接続することの他の利点は、アブソーバー管内で内管（同軸管）が破裂するといつでも管状ジャケットによって形成される中空空間内に伝熱液が流れる込むことである。これはニップルが破壊した場合にも云える。従って、伝熱媒体が系の外部に流れ出ることはない。
更に、接着剤によれば、要求される保持力がコレクタ管の周囲に亘って均一に分散される。製造公差的な小さな湾曲に係る不均一さが補償される。
連結部が伝熱媒体に接触することはなく、従って化学反応性物質に曝されない。これにより、耐熱性はあるが伝熱液に接すると敏感に反応するガラス繊維強化ポリマー等の概して経済的なプラスティック材料を用いることが出来る。
本発明の好適な実施例によれば、シール装置はコレクタ装置、特にコレクタマニホールドの長手方向に移動自在なスライダである。Ｕ字状連結具が、スライダの対応するロック具と協働する夫々のロック具が自由端にあるアーム二つを有するようにすると良い。
これ等のロック具複数が例えばタング及び溝であって、これ等がコレクタ装置の長手方向に延びるようにすると良い。
【０００６】
もう一つの実施例によれば、シール装置はＵ字状連結部に枢動自在に取り付けられた枢動部である。コレクタの長手方向に延びる旋回軸の周りをこの枢動部が枢動するようにし、連結部と共にコレクタ管の交換が可能になるようにすると良い。枢動部又はヒンジ部を設けると、シール装置がＵ字状連結部にとどまり、交換中に無くならないと云う利点が有る。この枢動部がＵ字状連結部のアームにヒンジを介して枢動自在に連結されるようにすると良い。それはＵ字状連結部の反対側のアームに適宜にロックされる。また、この枢動部を、コレクタ装置、特にコレクタマニホールドが締結して又は滑動自在でロック状態に保持されるように形成することが出来る。
コレクタ装置の長手方向に延びるＵ字状連結部の幅が、カップ状受容部の外径より小さくなるようにすると良い。だが、捩れ耐性が無くなる程度まで小さくしてはならない。Ｕ字状連結部の幅Ｂは好ましくは、カップ状受容部の径をＤとして、Ｄ／３〜Ｄの範囲である。
従ってコレクタ装置の長手方向に要する空間は、カップ状受容部により決定される。これには、コレクタ装置上の連結部間に自由空間が残り、二つのコレクタ装置を簡単に、且つコレクタ装置上のコレクタ管にかなりの大きさを要することなく相互連結出来ると云う利点が有る。二つのコレクタモジュールを連結しても、一つのモジュールより管間隔は実質的に大きくならない。コレクタ領域では管間隔が等しいので、数個のコレクタモジュールの全体の配置がコンパクトであり、従って総面積当たりの熱収量は大きくなる。
各カップ状受容部には、その外側でコレクタ装置の長手方向に互いに向かい合う側壁と、これ等の側壁外側に配置され、隣接するカップ状受容部に配置された対応ロック部材又はロック具と協働する夫々のロック部材又はロック具とが備わるようにすると良い。この実施例では、隣接するコレクタ管が互いに引き合って、カップ状受容部の隣接側壁が互いに凭れ合うようになる。両側がロックされるので、捩れ耐性は相当に増大する。この実施例では、コレクタ装置、特にコレクタマニホールドが滑動自在に保持されるようにシール部と連結部を形成すると良い。
同時に、これ等のロック部材又はロック具は容易に解放、即ちアンロックされる。これは特に、ロック部材又はロック具を、コレクタ管の長手方向に延びるタング又は溝とするときに云える。コレクタ管の交換のためには、シール装置を開け、コネクタをもつコレクタ管を長手方向に押すことにより、カップ状受容部のロック具が隣接するカップ状連結部のロック具から滑り出るようにする。同様に、新たなコレクタ管を適宜のコネクタで装置内に容易に挿入することが出来る。
【０００７】
カップ状受容部とＵ字状連結部との間のわたり（中間）部に、屋根（への）取り付け具を設けると良い。この屋根取り付け具に、前記コネクタの縦軸と垂直に延びる貫通孔が設けられた少なくとも一つの環状部が有るようにすると良い。この貫通孔を通してボルト等を挿入して取り付け、適宜の保持部材又は装置を介して屋根に連結することが出来る。
捩れ耐性を更に増大するため、各コレクタ管にフートキャップが接着される。これ等のフートキャップにも、カップ状受容部上のものと同様なロック部材又はロック具を隣接フートキャップ上のロック部材又はロック具と協働するようにして設ける。これ等のロック部材又はロック具も、コレクタマニホールドの長手方向に配置するタング及び溝である。そうすると、カップ状受容部及びフートキャップのロック部材又はロック具をコレクタ管の交換中に単一動作で取り外すことが出来る。
これ等のフートキャップには、保持具を有するベースが備わり、この保持具によってフートキャップは屋根に設けられた適宜の取り付け装置をグリップする。これ等の保持具を、屋根と取り付けた適宜のバー又はガーダーに固定するようにすると良い。このようにして、長さ膨張をベースの変位で補償すると良い。
【０００８】
【実施態様】
図１に複数のコレクタ管２が備わるコレクタモジュール１を示す。コレクタ管２に対して、それ等のヘッド端ではコネクタ４０が個々に相互連結され、それ等のフート端ではフートキャップ８０が個々に相互連結されている。
図２はコレクタモジュール１の、そのヘッド部における一部拡大図であって、以下詳細に記載するコネクタ４０をより明瞭に示している。コネクタ４０には、コレクタ管２が接着されているカップ状受容部４１が有る。ここではコレクタマニホールド２０として示すコレクタ装置の方向に、Ｕ字状連結部４５がコレクタ管２に連結している。Ｕ字状連結部４５はコレクタマニホールド２０を取り囲み、適宜のシール具６０と協働する。図２に示すように、Ｕ字状連結部４５の幅Ｂはその径Ｄより明らかに小さく、隣接する連結部との間に自由空間が残るようにしてある。従って、コレクタマニホールド２０に沿う管間隔を著しく大きくせずに、コレクタマニホールド連結をそこに設けることが出来る。
コネクタ４０、コレクタマニホールド２０及びフートキャップ８０が位置付けられたコレクタ管２の断面図を図３に示す。コレクタ管２には、溶着により連結壁５を介して内部アブソーバー管４に連結された管状ジャケット３が備わる。コレクタ管２のこの構造は周知である。アブソーバー管４の内部には開口部６において容易にアクセスでき、同軸管７とニップル２４を内部に挿入することが出来る。
【０００９】
コレクタマニホールド２０には外側管状壁２１と同軸内側管状壁２２があって、伝熱媒体の流入と流出路のための二つの室Ｃ１及びＣ２が形成されている。また、このコレクタマニホールド２０には数個のニップル２４が設けられている。これ等ニップル２４の一つが図３に示されており、アブソーバー管４に延びて、そこでニップル２４の外側に設けられた０リング２５によりシールされている。更に、同軸管７は一端で内管２２の開口部に堅く着座し、他端でアブソーバー管４に設けられたスプリング８により支持され、ニップル２４の内部に挿入されている。このようにして、同軸管７は固定保持されている。伝熱媒体は同軸管７を通して矢印２６の方向に流れ、スプリング８の近傍で向きを変え、再び同軸管７を通ってその外方端に向かって矢印２７の方向に流れ、コレクタマニホールド２０に流入する。
【００１０】
コネクタ４０には、管状ジャケット３が接着層９を介して接着されたカップ状受容部３が有る。この実施例では、接着層９はカップ状受容部４１の全内面に沿って延びてはいない。これは、管状ジャケット３には外周ビード１０が有り、この部分での接着層だけでコレクタ管２を確実に固定取り付け出来るからである。カップ状受容部４１の底壁４２には、ニップル２４を受容するための開口４３が設けられている。カップ状受容部４１の、その開口部と反対側の端部に、Ｕ字状連結部４５が設けられている。このＵ字状連結部４５には、コレクタマニホールド２０に係合又はこれを取り囲む、一対のあご状のアーム二つ４６ａ、４６ｂが有る。両アーム４６ａ、４６ｂの対応する自由端には、ロック具４７ａ、４７ｂが夫々設けられている。図示の実施例では、これ等のロック具はタングであって、シール具６０の夫々のレッグ６１ａ、６１ｂ上の対応するロック具６２ａ、６２ｂと協働する。これ等後記のロック具６２ａ、６２ｂは溝である。これ等のタングと溝は、コレクタマニホールドの長手方向Ｌｓに延びている。シール具６０の露出外壁には、ハンドル６３が設けられている。シール具６０はスライダ状に形成されており、ハンドルでコレクタマニホールドの長手方向Ｌｓに押されると、コレクタ管２をコネクタ４０と共に、ニップル２４とコレクタマニホールド２０から外せるように解放、即ちアンロックする。
【００１１】
フートキャップ８０は、コレクタ管２の対向端に設けられており、原則的には類似のカップ状受容部から成る。コレクタ管２及び／又はコレクタ管２の管状ジャケット３は、接着層８１でこのフートキャップ８０に接着されている。フートキャップ８０には、その下端にベース８２が有る。ベース８２には、コレクタモジュールを屋根に取り付けるのに用いられる保持具８８が設けられている。フートキャップ壁の下側湾曲部には出口開口８７が設けられ、コレクタ管２とフートキャップ８０との間に集まる雨水を妨げずに、逃がせるようにしてある。これは、コレクタモジュールを傾斜屋根に傾けた向きで取り付ける場合に特に有利である。
図４は、コネクタ４０の斜視図である。カップ状受容部４１には、コレクタモジュール２０の長手方向に並べて、対向側壁４８及び４９に溝５０及びタング５０ａ，５０ｂからなるロック具が有る。両側壁４８及び４９は平行面である。
図２に示すように、隣接するカップ状受容部４の隣接する側壁４８、４９は直接、互いに支え合って、隣接する側壁の一方のタング５０ａ，５０ｂが他方の側壁の溝５０に係合するようにしてある。このようにして、コネクタ４０は互いにロックされ、安定した配設を形成する。
【００１２】
カップ状受容部４１とＵ字状連結部４５との間の中間（わたり）部に、貫通孔７１を有するリング具状の屋根取り付け具が設けられている。貫通孔７１はコネクタ４０の縦軸Ｌｃに対して垂直方向に延び、ボルト等の取り付け具をそれに挿入して、屋根への取り付けを容易に出来るようにしてある。屋根取り付け具７０をもう一つ反対側に設けても良いが、通常、各コネクタ４０に対して屋根取り付け具を一つ設ければ十分である。図示の実施例ではタングであるロック具４７ａ、４７ｂがＵ字状連結部４５の両アーム４６ａ、４６ｂに設けられている。同様に関連する湾曲したシール具６０には二つのレッグ６１ａ、６１ｂが有って、これ等レッグ夫々の外側に、Ｕ字状連結部４５の対応するロック具が係合する夫々のロック具として二つの溝６２ａ、６２ｂが設けられている。従って、コレクタマニホールド２０の長手方向に滑動自在なスライダとして形成され、コネクタ４０をコレクタマニホールド２０から外せるようにしてある。この目的のため、ハンドル６３を外側に設けると良い。
【００１３】
図５はコネクタ４０の断面図である。
図６は、コレクタモジュール１の下側を破断図で示している。二つのコネクタ４０の屋根取り付け具７０の貫通孔７１を通してボルト７２が夫々挿入され、Ｌ字状セクション７３にネジ込まれている。このＬ字状セクション７３は、コレクタマニホールド２０の長手方向と平行に延びるバー７４に係合し、それに対しネジで堅く取り付けられている。隣接するコレクタモジュールをこのＬ字状セクション７３で取り付けておけば、コレクタマニホールド２０が熱膨張しても、隣接コレクタモジュールは互いに変位し、即ち滑動するようになる。
図７は、図６に示す装置の上部平面図である。
コレクタ管２が屋根取り付け装置７１と共に、図８に示されている。ボルト７２が貫通孔７１に固定され、Ｌ字状セクション７３にネジ込まれている。このセクション７３はバー７４に係合している。短レッグ側がバー７４の外側に係合し、係止部を形成する。フート端にはＵ字状湾曲バー７５が設けられ、それにフートキャップ８０が夫々のプレート状の保持具８８で取り付けられる。バー７５は別のバー７４に取り付けられる。この種の屋根取り付け装置では、コレクタ管２はバー間で張力下に保持される。
【００１４】
図９は、フートキャップ８０の下側の斜視図である。フートキャップには互いに対向する二つの平行外壁８３、８４が有り、それ等に夫々のタング及び溝からなるロック具８５、８６が設けられている。従って、カップ状受容部４１の場合の構成と同様の構成となり、隣接するフートキャップ８０との連結が可能になる。ベース部８２をその下側に設け、それのプレート状の保持具８８を用いてＵ字状バー７５に連結することが出来る。図３及び図１０に関して既述の出口開口８７がその裏側下部に設けられる。
図１１に互いに挿入された二つのコレクタ管２０のコレクタ連結部３０を示す。連結部３０は二つのＯリング３１でシールされる。
図１２に図４で示した実施例とは異なる、コネクタ４０の別の実施例を示す。シール具６０はヒンジ６４により下部アーム４６ｂの自由端に枢軸旋回自在に連結されている。ロック具４７ａは上部アーム４６ａに設けられ、シール具６０が畳み込まれると、対応するロック具６１ａと係合してロックし、図１２ｂに示す閉位置を取るようにしてある。
以上コレクタモジュールに具現されるものとして本発明を例示、記載したが、本発明の精神を如何ようにも逸脱することなく種々の修正や変更をなし得ることから、本発明は示された詳細に限定されるものではない。
即ち、以上の記載は、他者が現在の知識を適用することにより、従来技術の観点から本発明の一般的又は特定の側面の本質的特徴と云うべき特徴を省略することなく、本発明の要旨を種々の応用に適用出来る程度まで、それを十分に明示するものである。
【図面の簡単な説明】
【図１】コレクタ管、コネクタ及びフートキャップが備わるコレクタモジュールの斜視図である。
【図２】コネクタ近傍におけるコレクタモジュールの詳細な破断図である。
【図３】コネクタとフートキャップが備わるコレクタ管の縦断面図である。
【図４】シール装置が備わるコネクタの斜視図である。
【図５】図４に示すコネクタの断面図である。
【図６】コレクタモジュールを屋根に取り付けるための手段が備わるコレクタモジュールの一部の下側を示す斜視図である。
【図７】図６に示す配置、特に屋根取り付け手段の上面図である。
【図８】適宜の屋根取り付け手段が備わるコレクタモジュールの側面図である。
【図９】フートキャップの斜視図である。
【図１０】図９に示すフートキャップを線Ｘ−Ｘに沿って取った縦断面図である。
【図１１】二つのコレクタモジュール同士の連結を示す破断断面図である。
【図１２】ａ．開状態で示す、本発明のもう一つに実施例によるシール装置が備わるコネクタの断面図である。
ｂ．閉状態で示すコネクタの断面図である。
【符号の説明】
１  コレクタモジュール
２  コレクタ管
３  管状ジャケット
４  アブソーバー管
５  連結壁
６  開口部
７  同軸管
８  スプリング
９  接着層
１０  外周ビード
２０  コレクタマニホールド
２１  外側管状壁
２２  内側管状壁、内管
２４  ニップル
２５  Ｏリング
３０  連結部
４０  コネクタ
４１  カップ状受容部
４２  底壁
４３  開口
４５  Ｕ字状連結部
４６ａ  アーム
４６ｂ  アーム
４７ａ  ロック具
４７ｂ  ロック具
４８  側壁
４９  側壁
５０  溝
５０ａ  タング
５０ｂ  タング
６０  シール具
６１ａ  レッグ
６１ｂ  レッグ
６２ａ  ロック具
６２ｂ  ロック具
６３  ハンドル
７０  屋根取り付け具
７１  貫通孔
７２  ボルト
７３  Ｌ字状セクション
７４  バー
７５  Ｕ字状バー
８０  フートキャップ
８１  接着層
８２  ベース部
８５  ロック具
８６  ロック具
８７  出口開口
８８  プレート状の保持具
Ｃ１  室
Ｃ０  室
【図１】
2004271108.tif 000003
【図２】
2004271108.tif 000004
【図３】
2004271108.tif 000005
【図４】
2004271108.tif 000006
【図５】
2004271108.tif 000007
【図６】
2004271108.tif 000008
【図７】
2004271108.tif 000009
【図８】
2004271108.tif 000010
【図９】
2004271108.tif 000011
【図１０】
2004271108.tif 000012
【図１１】
2004271108.tif 000013
【図１２】
2004271108.tif 000014